(57)【要約】【目的】本発明は、旅行先等で下着類を，手を濡らさず手軽に手洗いするため、二分割したビニール製洗濯袋の左右にそれぞれ洗濯物と洗剤水を入れ、平板の上に置き、袋の左右を交互に押すことにより、洗剤水が分割接合面の通路を通り袋の左右を往復し、その噴流が洗濯物に噴きつけられること、および洗濯物への洗剤水の吸込み押し出し、ならびに洗濯板状になった半円柱状の突起よるこすり洗いの相乗効果により、洗濯物の汚れを落とす、手洗い洗濯袋の構造に関するものである。【構成】２枚重ねのビニールシート１を、接合面２とチャック９で接合して袋とし、その中心を分割接合面３に沿って接合し、左右に分割する、その分割接合面に数箇所接合しない左右を連絡する通路４を設ける。袋の内面には半円柱状の突起５を並行に数本設ける。袋の対角には給水口７と、逆止弁１０のついた排水口８とを設ける。【選択図】  図１
2004188142.tif 000002
【特許請求の範囲】
【請求項１】
密閉用チャック付きビニール袋を、その中心線に沿って接合することにより、左右に分割し、その接合面の一部に接合しない狭い通路を数箇所設ける構造とし、その袋の左右のそれぞれに洗濯物と洗剤水を入れ、これを左右交互に押すことにより洗濯する手洗い洗濯袋の構造。
【請求項２】
請求項１のビニール袋内面に、半円柱状の突起を並行に数本設け、これを平面の上に置くことにより洗濯板の効果を持たせ、突起に洗濯物をこすりつけることにより洗濯する構造。
【請求項３】
請求項１のビニール袋の端に、逆止弁付排水口を設ける構造により、濡れた洗濯物と乾燥タオルとを重ねて袋に入れ、空気を抜くことにより密着させ、洗濯物を脱水する構造。
【請求項４】
請求項１の洗濯袋左右分割接合面通路の替わりに、分割接合面を貫通させた筒の通路を設け、その筒の左右のそれぞれに数個の噴射口と両端に逆止弁を設けることにより、噴流衝突による洗浄効果を向上させる構造。
【発明の詳細な説明】
【０００１】
【産業上の利用分野】
本発明は、旅行先等で、手を濡らさずに下着類を手軽に手洗いするための、洗濯袋に関するものである。
【０００２】
【従来の技術】
従来、旅行先等で下着類を洗濯する場合は、洗面台のボウルに水を溜め、手で揉み洗いし、その後手絞りで脱水していた。
【０００３】
【発明が解決しようとする課題】
従来の揉み洗いでは、手が洗剤・水・汚れに触れる、汚れが落ちにくい、さらに、手絞り脱水では宿泊先等での短時間の乾燥に不十分である。
【０００４】
【課題を解決するための手段】
本発明の構造を、図１・図２に示し説明する。
図１は本構造の斜視図を示し、ビニールシート１を、２枚重ねとし、その２枚を接合面２に沿って貼り合わせ袋状にする。
その袋の中心を分割接合面３に沿って接合し左右に分割する。しかし、その分割接合面に数箇所接合しない左右を連絡する通路４を設ける。
袋の内面には半円柱状の突起５を平行に数本設ける。
袋の一部に洗濯物を出し入れするための洗濯物出入口６と、水を入れるための給水口７と、水抜きのための排水口８とを設け、それぞれにチャック９を取付け密閉できるようにする。なお、排水口８には逆流を防止するための逆止弁１０を取付ける。
図２は図１のＡ−Ａ矢視、使用状態を示す断面図で、洗濯袋の左右に洗濯物１１を入れ、半円柱状の突起５のある面を下にして、洗面台等の平板１３の上にのせて使用する。
次に、本発明洗濯袋の洗濯方法を、図１・図２で説明する。
図１のように、袋の左右にそれぞれ洗濯物１１と、袋の片側の量の洗剤水１２とを入れ、チャック９をすべて閉じ密閉する、これを図２のように、洗面台等の平板１３の上に半円柱状の突起５のある面を下にして置く、この状態で、図１矢印Ｂのように、袋の右側を手の平で半円柱状の突起５に洗濯物１１をこすり付けるように押すと、右側の洗剤水が分割接合面３の通路４を矢印Ｄのように通って左側に移動し、左側が矢印Ｃのように膨れる、次にこれと反対に袋の左側を手の平で押し、これを交互に繰り返し洗濯を行う。
次に、本発明洗濯袋のすすぎ方法を、図３に示し説明する。
洗濯が終了したら、給水口７と排水口８のチャックを開け、給水口７に水道蛇口１４を押し付け、水で洗剤水を押し流す、その後すべてのチャックを閉め洗濯袋の左右を交互に押しすすぎ洗濯を行う、これを交互に数回繰り返すことによりすすぎを行う。
次に、本発明洗濯袋の脱水方法を、図４に示し説明する。
すすぎが終了したら、まず排水口８のチャックを開け、洗濯袋を丸めて水分を絞り出し仮脱水する。その後、上図のように仮脱水した洗濯物１１と、ホテル等に備え付けの乾燥タオル１５とを重ねて袋に入れる。この状態で下図のように洗濯袋を押し中の空気を押し出し、排水口８の逆止弁１０により密着状態を維持させることにより、洗濯物の水分を乾燥タオルに吸わせて、更に脱水を行う。
次に、本発明請求項４の筒通路による噴流洗浄効果向上方法を、図５・図６に示し説明する。
図５のように左右上面に数個の噴射口１８と、左右両端に逆止弁１７の付いた筒１６を、分割接合面３を貫通させ、下ビニールシート１の内面に貼り付けて設ける。
次に、筒付き洗濯袋の洗濯方法を、図６で説明する。矢印Ｂのように右側を押し付けると、洗剤水１２が筒１６右側の逆止弁１７を押し開け右側から左側に移動する、この時筒１６の左側逆止弁１７が閉止し、洗剤が筒１６左側の噴射口１８から勢い良く吹き出し洗濯物１１に衝突することにより汚れを落とす。
【０００５】
【作用】
下記３つの相乗作用により洗濯物の汚れが落とされる。
イ．平板の上に置くことにより、洗濯板状になった半円柱状の突起、又は、請求項４の筒に、洗濯物をこすりつけることにより、汚れがしごき出される作用。
ロ．左右の洗濯物が交互に洗剤水を吸水、排水することにより、吸水時に洗剤水が汚れを浮かし、排水時に浮いた汚れが搾り出されることにより汚れが除去される作用。
ハ．洗剤水が袋の左右を往復する時に、袋の分割接合面の通路又は請求項４の筒の噴射口で発生する噴流が、洗濯物に衝突する力により、汚れが落される作用。
脱水時には、濡れた洗濯物と乾燥タオルとを重ね合わせ、密着状態を維持することにより、乾燥タオルの毛細管現象により、洗濯物の水分を吸い取り、脱水する作用。
【０００６】
【実施例】
旅行先等での手洗い洗濯の他に、オムツ等、汚物の付いた洗濯物の電気洗濯機に入れる前の下洗いに利用できる。
逆止弁付排気管による内部空気抜き機能により洗濯物等衣類の圧縮袋となり旅行鞄の整理に利用できる。
【０００７】
【発明の効果】
下着類を何処でも手軽に、手が洗剤・水・汚れに触れることなく洗濯でき、汚れをきれいに落とせる。
手絞り脱水に比べ、握力の弱い人でも、十分な脱水ができ、乾燥時間を短縮できることから、旅行先等での洗濯乾燥に便利である。
袋は軽量で嵩張らないため、旅行等の携帯に便利で、尚且つ、汚れ洗濯物等を入れ，圧縮整理袋として使用できる。
【図面の簡単な説明】
【図１】本発明の構造を示す斜視図
【図２】本発明、図１のＡ−Ａ矢視、使用状態を示す断面図
【図３】本発明のすすぎ方法を示す平面図
【図４】本発明の脱水方法を示す断面図
【図５】本発明請求項４の構造を示す斜視図
【図６】本発明、図５のＡ−Ａ矢視、請求項４の使用状態を示す断面図
【符号の説明】
１  はビニールシート              １１  は洗濯物
２  は接合面                      １２  は洗剤水
３  は分割接合面                  １３  は平板
４  は通路                        １４  は水道蛇口
５  は半円柱状の突起              １５  は乾燥タオル
６  は洗濯物出入口                １６  は筒
７  は給水口                      １７  は逆止弁
８  は排水口                      １８  は噴射口
９  はチャック
１０  は逆止弁
【図１】
2004188142.tif 000003
【図２】
2004188142.tif 000004
【図３】
2004188142.tif 000005
【図４】
2004188142.tif 000006
【図５】
2004188142.tif 000007
【図６】
2004188142.tif 000008